(57)【要約】      （修正有）【課題】小型化と軽量化を図り、洗浄操作のときに、ユーザの手やノズル穴を汚すことを少なくする携帯型洗浄器を提供する。【解決手段】携帯型洗浄器１０は、片手で把持できる筒部で内部に洗浄液を収容する洗浄液タンク空間を有する把持部１２と、把持部１２から先端側に延び洗浄液を噴出するノズル穴２２を有するノズル部２０とを備え、ノズル部２０は、把持部１２から延びる方向を長手方向として、長手方向に平行な角度を０度とし長手方向に垂直な角度を９０度として、長手方向に対し３０度以上７０度以下の角度で先端側に向かって洗浄液が噴出するノズル穴２２を有する。把持部１２の外形の最大径部分の寸法は３５ｍｍ以上４２ｍｍ以下、洗浄液タンクの洗浄液容積は８０ｍｌ以上１２０ｍｌ以下に設定される。【選択図】図１
0003184258.tif 000002
【実用新案登録請求の範囲】
【請求項１】
片手で把持できる筒部で内部に洗浄液を収容する洗浄液タンク空間を有する把持部と、
把持部から先端側に延び洗浄液を噴出するノズル穴を有するノズル部と、
を備え、
ノズル部は、
把持部から延びる方向を長手方向として、長手方向に平行な角度を０度とし長手方向に垂直な角度を９０度として、長手方向に対し３０度以上７０度以下の角度で先端側に向かって洗浄液が噴出するノズル穴を有することを特徴とする携帯型洗浄器。
【請求項２】
請求項１に記載の携帯型洗浄器において、
ノズル部は、
長手方向に対し３０度以上７０度以下の角度で先端側に向かって互いに平行な方向に洗浄液が噴出する複数のノズル穴を有することを特徴とする携帯型洗浄器。
【請求項３】
請求項１に記載の携帯型洗浄器において、
洗浄液タンク空間は、
洗浄液容積が８０ｍｌ以上１２０ｍｌ以下であることを特徴とする携帯型洗浄器。
【請求項４】
請求項１に記載の携帯型洗浄器において、
把持部は、
外形の最大径部分の寸法が３５ｍｍ以上４２ｍｍ以下であることを特徴とする携帯型洗浄器。
【請求項５】
請求項１に記載の携帯型洗浄器において、
把持部とノズル部の間に配置され、ノズル穴から噴射する洗浄液の噴射力の強弱を選択する電子スイッチが設けられるスイッチ筐体部を備えることを特徴とする携帯型洗浄器。
【請求項６】
請求項５に記載の携帯型洗浄器において、
スイッチ筐体部は、把持部側端面とノズル側端面のそれぞれに把持部を係止して固定する係止固定部を有し、
把持部は、筒部の開口部端にスイッチ筐体部の係止固定部に係止する把持部側係止部を有することを特徴とする携帯型洗浄器。
【請求項７】
請求項６に記載の携帯型洗浄器において、
洗浄液タンク空間を空にした状態の把持部の内部空間を利用してノズル部を覆い、スイッチ筐体部のノズル側端面の係止固定部に把持部の把持部側係止部を係止固定してノズル部を保護状態とした携帯可能状態とし、
携帯可能状態から係止固定を解除して把持部をスイッチ筐体部から取外し、把持部の洗浄液タンク空間に洗浄液を満たして、スイッチ筐体部の把持部端面側の係止固定部に把持部の把持部側係止部を係止固定して、把持部とスイッチ筐体部とスイッチ筐体部とノズル部とを一直線に接続した状態で電子スイッチを操作することで洗浄液を噴射させる使用可能状態とする構造を有し、
これにより、ユーザはノズル部に触れることなく、携帯可能状態から使用可能状態とできることを特徴とする携帯型洗浄器。
【考案の詳細な説明】
【技術分野】
【０００１】
本考案は携帯型洗浄器に係り、特に、片手で把持し、洗浄液を人体の肛門付近に噴射して洗浄する携帯型洗浄器に関する。
【背景技術】
【０００２】
特許文献１には、人体の肛門付近に洗浄液を噴射するノズルを備える人体洗浄装置を便器に設けることが開示されている。この洗浄機能を有する携帯型洗浄器も既に市販されている。
【先行技術文献】
【特許文献】
【０００３】
【特許文献１】特許第３２６４２７４号
【考案の概要】
【考案が解決しようとする課題】
【０００４】
市販されている携帯型洗浄器は、片手で把持するものとなっているが、ノズルから噴射する洗浄液の方向がノズルの長手方向に対しほぼ垂直である。この場合、洗浄液の噴射方向を肛門付近の肌の表面に対し垂直として洗浄液を噴射すると、肌に当たった洗浄液は汚れた洗浄済み液として、ほぼノズルの長手方向に垂直な方向に跳ね返ってくる。ユーザは、ノズルの根元の把持部を把持しているので、汚れた洗浄済み液がユーザの手に当たり、ユーザの手を汚す。また、洗浄液を噴射するノズル穴に向かって戻ってくるので、ノズル穴が汚れる。
【０００５】
本考案の目的は、ユーザの手やノズル穴を汚すことを少なくできる携帯型洗浄器を提供することである。
【課題を解決するための手段】
【０００６】
本考案に係る携帯型洗浄器は、片手で把持できる筒部で内部に洗浄液を収容する洗浄液タンク空間を有する把持部と、把持部から先端側に延び洗浄液を噴出するノズル穴を有するノズル部と、を備え、ノズル部は、把持部から延びる方向を長手方向として、長手方向に平行な角度を０度とし長手方向に垂直な角度を９０度として、長手方向に対し３０度以上７０度以下の角度で先端側に向かって洗浄液が噴出するノズル穴を有することを特徴とする。
【０００７】
本考案に係る携帯型洗浄器において、ノズル部は、長手方向に対し３０度以上７０度以下の角度で先端側に向かって互いに平行な方向に洗浄液が噴出する複数のノズル穴を有することが好ましい。
【０００８】
本考案に係る携帯型洗浄器において、洗浄液タンク空間は、洗浄液容積が８０ｍｌ以上１２０ｍｌ以下であることが好ましい。
【０００９】
本考案に係る携帯型洗浄器において、把持部は、外形の最大径部分の寸法が３５ｍｍ以上４２ｍｍ以下であることが好ましい。
【００１０】
本考案に係る携帯型洗浄器において、把持部とノズル部の間に配置され、ノズル穴から噴射する洗浄液の噴射力の強弱を選択する電子スイッチが設けられるスイッチ筐体部を備えることが好ましい。
【００１１】
本考案に係る携帯型洗浄器において、スイッチ筐体部は、把持部側端面とノズル側端面のそれぞれに把持部を係止して固定する係止固定部を有し、把持部は、筒部の開口部端にスイッチ筐体部の係止固定部に係止する把持部側係止部を有することが好ましい。
【００１２】
本考案に係る携帯型洗浄器において、洗浄液タンク空間を空にした状態の把持部の内部空間を利用してノズル部を覆い、スイッチ筐体部のノズル側端面の係止固定部に把持部の把持部側係止部を係止固定してノズル部を保護状態とした携帯可能状態とし、携帯可能状態から係止固定を解除して把持部をスイッチ筐体部から取外し、把持部の洗浄液タンク空間に洗浄液を満たして、スイッチ筐体部の把持部端面側の係止固定部に把持部の把持部側係止部を係止固定して、把持部とスイッチ筐体部とスイッチ筐体部とノズル部とを一直線に接続した状態で電子スイッチを操作することで洗浄液を噴射させる使用可能状態とする構造を有し、これにより、ユーザはノズル部に触れることなく、携帯可能状態から使用可能状態とできることが好ましい。
【考案の効果】
【００１３】
上記構成により、ノズル部は、把持部から延びる方向を長手方向として、長手方向に対し３０度以上７０度以下の角度で先端側に向かって洗浄液が噴出するので、洗浄液が対象物に当たって跳ね返っても先端側よりさらに先端側に向かう。これにより、汚れた洗浄済み液がユーザの手やノズル穴を汚すことを少なくできる。
【００１４】
また、携帯型洗浄器において、長手方向に対し３０度以上７０度以下の角度で先端側に向かって互いに平行な方向に洗浄液が噴出する複数のノズル穴を有するので、ユーザの手やノズル穴を汚すことを少なくしながら十分な洗浄力を確保できる。
【００１５】
また、携帯型洗浄器において、洗浄液タンク空間の洗浄液容積が８０ｍｌ以上１２０ｍｌ以下であるので、適度な軽量となる。したがって、重すぎることで洗浄操作中に落とすことがない。
【００１６】
また、携帯型洗浄器において、把持部は、外形の最大径部分の寸法が３５ｍｍ以上４２ｍｍ以下であるので、例えば子供等の小さな手でも十分に片手で把持できる。
【００１７】
また、携帯型洗浄器において、把持部とノズル部の間にスイッチ筐体部が配置され、スイッチ筐体部に、洗浄液の噴射力の強弱を選択する電子スイッチが設けられる。これにより、指先の簡単な操作で、洗浄液噴射の強度を選択できる。電子スイッチが洗浄液の噴射開始と終了のスイッチを兼ねることもできる。
【００１８】
また、携帯型洗浄器において、スイッチ筐体部は、把持部側端面とノズル側端面のそれぞれに把持部を係止して固定する係止固定部を有し、これに対応し、把持部は、把持部側係止部を有する。これにより、把持部をスイッチ筐体部の把持部側端面に取り付けることも、ノズル側端面に取り付けることもできる着脱自在とすることができる。
【００１９】
また、携帯型洗浄器において、スイッチ筐体部の係止固定部と把持部の把持部側係止部とを用いて、把持部の内部空間を利用してノズル部を覆い小型化とした携帯可能状態とし、また、把持部の内部空間に洗浄液を満たして、把持部とスイッチ筐体部とノズル部とを一直線に接続した状態で電子スイッチを操作することで洗浄液を噴射させる使用可能状態とする構造を有する。これにより、ユーザはノズル部に触れることなく、携帯可能状態から使用可能状態とできる。
【図面の簡単な説明】
【００２０】
【図１】本考案に係る実施の形態における携帯型洗浄器の斜視図である。
【図２】本考案に係る実施の形態における携帯型洗浄器の三面図で、（ａ）は上面図、（ｂ）は側面の断面図、（ｃ）は底面図である。
【図３】本考案に係る実施の形態において携帯型洗浄器から把持部を取り外す様子を示す図である。
【図４】図３で取り外した把持部をノズル部の保護のための先端側キャップとして用いる図である。
【図５】本考案に係る実施の形態における携帯型洗浄器のノズル部の拡大図である。
【図６】本考案に係る実施の形態における携帯型洗浄器の作用を示す図である。
【考案を実施するための形態】
【００２１】
以下に図面を用いて本考案に係る実施の形態を詳細に説明する。以下で述べる形状、寸法、材質等は説明のための一例であって、携帯型洗浄器の仕様に応じて適宜変更が可能である。
【００２２】
以下では、全ての図面において同様の要素には同一の符号を付し、重複する説明を省略する。
【００２３】
図１は、携帯型洗浄器１０の斜視図である。携帯型洗浄器１０は、ユーザが片手で把持し、洗浄液を人体の肛門付近に噴射して洗浄する装置である。洗浄対象は、ユーザ自身の肛門付近であるが、乳幼児や被介護者の肛門付近であってもよく、その場合には、親や介護者が携帯型洗浄器１０を操作することになる。
【００２４】
携帯型洗浄器１０は、細長い筒状の形状を有し、内部に洗浄液、洗浄液噴射機構、電池等を内蔵する。携帯型洗浄器１０は、長手方向に沿って、根元側が把持部１２で、把持部１２から先端側に向かって、スイッチ筐体部１４、フロントケース１７、ノズルカバー１８、ノズル部２０の順に、複数の部分で構成される。スイッチ筐体部１４に洗浄液の噴射力の強弱を選択できる電子スイッチ２４が設けられ、ノズル部２０に洗浄液が噴射するノズル穴２２が設けられる。各部分は、互いに防水機構を介して接続され一体化されている。なお、把持部１２は、スイッチ筐体部１４に対して着脱可能で、これにより、把持部１２は、洗浄液タンクとしての機能と、スイッチ筐体部１４よりも先端側の先端部１６を保護する先端側キャップとしての機能を有する。
【００２５】
携帯型洗浄器１０は、子供の手のように把持力はあるが小さい手であっても片手で十分に把持できる外形と、誤って落とすことのない重さを有する。一例を挙げると、把持部１２の外形の最大径部分の寸法は３５ｍｍ以上４２ｍｍ以下に設定され、好ましくは約４０ｍｍの直径の円筒形が用いられる。また、内蔵される洗浄液の容積は、８０ｍｌ以上１２０ｍｌ以下に設定され、好ましくは１００ｍｌである。洗浄液を満容量としたときの携帯型洗浄器１０の全体の重さは約３００ｇである。なお、従来の市販品の一例を示すと、把持部の外径は約５０〜６０ｍｍあり、洗浄液の容量も２００ｍｌ以上あって、子供等の小さな手では持ちづらく重いので、使用中に便器内に落とす恐れがあるものであった。
【００２６】
図２は、携帯型洗浄器１０の三面図で、（ａ）は上面図、（ｂ）は側面図を断面図として示した図、（ｃ）は、底面図である。把持は、親指等で電子スイッチ２４が操作できるようにして行われる。
【００２７】
把持部１２は、一方端が開口部で他方端が底部の筒形状で、内部に洗浄液を収容する洗浄液タンク空間３０を有する。洗浄液タンク空間３０は、水道水等の洗浄液を収容する円筒状の空間である。換言すれば、携帯型洗浄器１０は、洗浄液タンク空間３０を有する筒部材の外周を把持するようにして用いられる。把持部１２の外周に、把持しやすいように滑り止めの網目模様等の表面加工を施してもよい。洗浄液は、水道水の他、適度の温度に暖めた温水としてもよい。また、医師、薬剤師、看護師等の指導の下で適当な消毒液等の薬剤を含む液体を用いることも可能である。
【００２８】
把持部１２は、先端側がスイッチ筐体部１４と防水接続構造で接続され、着脱が可能である。着脱可能な防水接続構造としては、防水パッキングを介した係止固定構造が用いられる。係止固定構造としては、互いに係止される一方側に係止突起を設け、他方側に係止突起を受け入れるスライド溝と係止穴を設ける構造を用いることができる。これに代えて、互いに係止される一方側にオネジ、他方側にメネジを設け、ねじ込みによって係止する構造を用いてもよい。以下では、係止突起と係止穴を設ける構造を用いるものとする。
【００２９】
この着脱可能機能により、内部に洗浄液タンク空間３０を有する把持部１２をスイッチ筐体部１４から外して洗浄液を洗浄液タンク空間３０に注入することができ、また、洗浄液タンク空間３０の内部を空にして、スイッチ筐体部１４よりも先端側の先端部１６であるフロントケース１７、ノズルカバー１８、ノズル部２０を保護する先端側キャップとして用いることができる。
【００３０】
図３は、携帯型洗浄器１０において、スイッチ筐体部１４から把持部１２を取り外した様子を示す図である。図３に示されるように、スイッチ筐体部１４は、把持部側端面とノズル側端面のそれぞれに把持部１２を係止して固定する係止固定部２７，２８を有する。係止固定部２７，２８は係止用の突起である。そして、この係止固定部２７，２８の係止突起に対応して、把持部１２は、一方端の開口部側に把持部側係止部２６を有する。把持部側係止部２６は、スライド溝を伴う係止穴である。
【００３１】
図４は、図３で取り外した把持部１２の洗浄液タンク空間３０を空にして、スイッチ筐体部１４よりも先端側の先端部１６にかぶせて、先端側キャップとして用いる様子を示す図である。このようにすることで携帯型洗浄器１０が小型化となり、持ち運ぶ際に便利となる。
【００３２】
把持部１２の筒部の外形の断面形状は、外径が約４０ｍｍの円形形状である。把持しやすいように、やや長円形または楕円形の断面としてもよい。その場合でも外形の最大径部分の寸法は３５ｍｍ以上４２ｍｍ以下に設定される。把持部１２において洗浄液タンク空間３０を形成する円筒形の肉厚は約１ｍｍから１．５ｍｍである。洗浄水を収容できる内容積は、上記のように約１００ｍｌである。約１００ｍｌは、１回の洗浄に必要な洗浄水の量にほぼ同じである。つまり、洗浄液タンク空間３０は、使い切りの洗浄水の量が収容される大きさに設定される。なお、これより容量を大きくする仕様でもよく、その場合は、洗浄液容量の仕様に応じ、把持部１２長さを変更し、洗浄液タンク空間３０の内容積を大きくする。その場合でも携帯型洗浄器１０が重くなり過ぎないように、８０ｍｌ以上１２０ｍｌ以下に設定される。
【００３３】
洗浄液タンク空間３０に洗浄液を注入するには、上記のように、把持部１２をスイッチ筐体部１４から取り外し、図３のように把持部１２の開口部を上方に向けて、その開口部に洗浄液を注ぐことで行われる。洗浄液タンク空間３０に洗浄液が十分注がれると、洗浄液がこぼれないように把持部１２を立てたまま、スイッチ筐体部１４のノズル側端面の係止突起を把持部１２の開口部に設けられた係止穴に嵌め込んで、しっかり固定する。固定することで防水機能が働き、洗浄液が外部に漏れることも、スイッチ筐体部１４の内部に漏れることもない。
【００３４】
把持部１２の後端部に設けられる吸気弁３１は、洗浄液を噴出することで洗浄液タンク空間３０の内部が負圧になることを防止する弁である。吸気弁３１の機能により、後述する小型モータ３２の負荷を軽減することができる。
【００３５】
把持部１２、スイッチ筐体部１４、フロントケース１７に防水接続構造で接続されるノズルカバー１８、ノズルカバー１８に防水接続構造で接続されるノズル部２０は、いずれも、プラスチック材料を用いて、所定の形状に成形したものを用いることができる。プラスチック材料としては、アクリル樹脂、ポリプロピレン、ポリエチレンテレフタレート、ポリカーボネート、エポキシ樹脂、フッ素樹脂等を用いることができる。
【００３６】
再び図２（ｂ）に戻り、小型モータ３２は、駆動回路を介して電池電圧で回転し、ポンプ３４を駆動する直流モータである。小型モータ３２は、フロントケース１７の内部に配置される。かかる小型モータとしては、外径が約２５ｍｍから約３０ｍｍ程度の大きさで、動作電圧が約１Ｖから約３Ｖの範囲のものを用いることができる。
【００３７】
ポンプ３４は、小型モータ３２によって駆動され、洗浄液を洗浄液タンク空間３０の側から吸い込んでノズル穴２２の側に吐出する小型液体ポンプである。ポンプ３４は、フロントケース１７の内部に配置される。ポンプと小型モータ３２との間に増減速用の歯車列を設けてもよい。かかるポンプ３４は、外径が約２５ｍｍから約３０ｍｍ程度の大きさのものを用いることができる。
【００３８】
供給管３６は、一端が洗浄液タンク空間３０の先端側に設けられる防水構造の供給口に接続され、他端がポンプ３４の吸込口に接続されるパイプである。吐出管３８は、一端がポンプ３４の吐出口に接続され、他端がノズル穴２２に接続されるパイプである。供給管３６はスイッチ筐体部１４とフロントケース１７の内部に配置され、吐出管３８は、ノズルカバー１８の内部に配置される。かかる供給管３６、吐出管３８としては、プラスチックパイプを用いることができる。プラスチックパイプに代えて、可撓性のあるプラスチックチューブを用いてもよい。プラスチックパイプまたはプラスチックチューブとしては、外径が約２ｍｍ程度、内径が１ｍｍ程度のものを用いることができる。
【００３９】
電池４０は、図示されていないが、小型モータ３２を駆動する駆動回路に電力を供給する直流電源である。電池としては、開放端電圧が約１Ｖから３Ｖのアルカリ電池を用いることができる。図２（ｂ）では円筒形の小型電池として図示されているが、角型電池、コイン型電池を用いてもよい。
【００４０】
電池４０と小型モータ３２との間に接続されて配置される駆動回路には、電子スイッチ２４が接続され、電子スイッチ２４の操作により、小型モータ３２の回転数を変更できる。これにより、ポンプ３４の吐出圧を変更できるので、ノズル穴２２からの洗浄液の噴出力の強弱を変更できる。電子スイッチ２４によって小型モータ３２の動作のオンオフを行うものとすることもできる。例えば、電子スイッチ２４は図２に示されるように２つの押しボタンが設けられるが、一方の押しボタンをオンオフ用とし、他方を洗浄水噴出力の強弱切替用とすることができる。
【００４１】
ノズル穴２２は、洗浄水が噴出する小孔である。図５にノズル部２０とノズルカバー１８の先端側の拡大図を示す。図５（ａ）は、ノズル部２０とノズルカバー１８の先端側の断面図である。図５（ｂ）は、ノズル部２０とノズルカバー１８の先端側をノズル穴２２の側から見た図である。
【００４２】
ノズルカバー１８の先端側には、吐出管３８の先端部が配置される。ノズル部２０には、携帯型洗浄器１０の長手方向の中心軸４２に平行に延びるノズル管路４４が設けられる。ノズル管路４４は、プラスチック材料で成形されたノズル部２０に開けられた管路で、一方側は開口して吐出管３８の先端部に接続され、他方側はノズル部２０の先端部のところで行き止まりとなる袋管路である。
【００４３】
ノズル部２０は、中心軸４２に対し、所定の先端角度φを有する噴出斜面４６を有する。先端角度φは鋭角で、９０度から後述するθを減算した角度＝（９０度−θ）に設定される。θ=７０度の場合は、噴出斜面４６の先端角度φは２０度である。この噴出斜面４６に垂直に３つの小孔が設けられ、これらがノズル穴２２である。すなわち、ノズル穴２２の根元側は、ノズル管路４４に接続し、他方側は噴出斜面４６に開口する。
【００４４】
ノズル穴２２は、把持部１２から延びる方向を長手方向として、長手方向に平行な角度を０度とし長手方向に垂直な角度を９０度として、長手方向に対し約７０度の噴射角度θで、携帯型洗浄器１０の先端側に向かって洗浄液が噴出する３つの小孔である。３つのノズル穴２２の噴射角度θはいずれも同じ値に設定される。噴射角度θは、携帯型洗浄器１０の仕様に応じて、３０度から７０度の範囲で設定される。
【００４５】
噴射角度θを鋭角とすることで、洗浄液はノズル穴２２よりも携帯型洗浄器１０の先端側に向かって噴出するようにできる。これによって、洗浄液が対象物に当たって跳ね返ってくる使用済み洗浄液は、携帯型洗浄器１０の先端よりもさらに先端側に向かう。したがって、汚れた洗浄済み洗浄液が把持部１２を把持しているユーザの手や、ノズル穴２２を汚すことを少なくできる。
【００４６】
図６は、上記構成の携帯型洗浄器１０の作用を示す図である。携帯型洗浄器１０は、洗浄に備えて携帯するときにノズル部２０を保護しながら小型化とする携帯可能状態と、実際に洗浄を行うときに、把持部１２とスイッチ筐体部１４とフロントケース１７とノズルカバー１８とノズル部２０とを一直線とする使用可能状態とを取り得る構造を有する。
【００４７】
図３、図４で説明したように、携帯型洗浄器１０は、洗浄液タンク空間３０の洗浄液を空にした状態の把持部１２の内部空間を利用してノズル部２０等を覆い、スイッチ筐体部１４のノズル側端面の係止固定部２８に把持部１２の把持部側係止部２６を係止固定してノズル部２０等を保護状態とした携帯可能状態とする構造を有する。また、携帯可能状態から係止固定を解除して把持部１２をスイッチ筐体部１４から取外し、把持部１２の内部の洗浄液タンク空間３０に洗浄液を満たして、スイッチ筐体部１４の把持部端面側の係止固定部２７に把持部１２の把持部側係止部２６を係止固定して、把持部１２とスイッチ筐体部１４とフロントケース１７とノズルカバー１８とノズル部２０とを一直線に接続し、その状態で電子スイッチ２４を操作することで洗浄液を噴射させる使用可能状態とする構造を有する。これにより、ユーザはノズル部２０に触れることなく、携帯可能状態から使用可能状態とできる。
【００４８】
図６では、携帯型洗浄器１０を使用可能状態として、便器５０に腰かけたユーザ５２が、片方の手５４で携帯型洗浄器１０を把持し、その先端側のノズル穴２２を洗浄対象物である肛門５６の付近に向けて、親指で電子スイッチ２４を操作して、ノズル穴２２から洗浄液６０を噴出させる様子が示される。洗浄液６０は、ノズル穴２２から噴射角度θで噴射する。噴射角度θは鋭角で、３０度から７０度の範囲であるので、ノズル穴２２よりも携帯型洗浄器１０の先端側に向かって噴出する。したがって、携帯型洗浄器１０を肛門５６にあまり近づけなくてもよく、操作性が向上する。また、電子スイッチの操作で洗浄液の噴出力の強弱の変更が容易に行える。
【００４９】
噴出した洗浄液６０は、携帯型洗浄器１０の先端よりもさらに先端側にある洗浄対象物である肛門５６付近の肌に当たって跳ね返ってくる。跳ね返ってきた使用済み洗浄液６２は、肌の表面の丸みによるが、携帯型洗浄器１０の先端よりもさらに先端側に向かうことになる。したがって、汚れた洗浄済み洗浄液６２によって、把持部１２を把持しているユーザ５２の手５４や、ノズル穴２２を汚すことがほとんどなくなる。これにより、ユーザ５２に不快感を与えることがなく、また、ノズル穴２２が汚れて詰まることが少なくなる。
【００５０】
また、把持部１２の外形の最大径部分の寸法を３５ｍｍ以上４２ｍｍ以下とし、洗浄液タンク空間３０の洗浄液容積を８０ｍｌ以上１２０ｍｌ以下としたので、ユーザ５２が例えば手の小さい子供であっても、把持しやすく、軽くて、操作中に便器５０に落とすことがない。また、小型軽量であるので、持ち運びに便利である。
【００５１】
なお、従来技術の例では、噴射角度がほぼ９０度であったので、携帯型洗浄器を肛門の近くに持ってくる必要があり、また、洗浄液は肛門５６近くの肌の表面にほぼ垂直にあたるので、跳ね返ってきた使用済み洗浄液がノズル穴を汚し、また把持部を持つユーザの手を汚していた。また、ノズル部を本体筐体に折りたたむ構造で、ノズル部を本体筐体から引き出す長さで洗浄液の噴出力の強弱を変更できるものであったので、操作性がよくなかった。また、把持部の外径が大きく、また洗浄液タンクの洗浄液容量も大きく、子供等の手では把持しにくく重いため、操作中に取り落とすことがあった。上記構成によれば、これらの問題がほとんど生じない。
【符号の説明】
【００５２】
１０  携帯型洗浄器、１２  把持部、１４  スイッチ筐体部、１６  先端部、１７  フロントケース、１８  ノズルカバー、２０  ノズル部、２２  ノズル穴、２４  電子スイッチ、２６  把持部側係止部、２７，２８  係止固定部、３０  洗浄液タンク空間、３１  吸気弁、３２  小型モータ、３４  ポンプ、３６  供給管、３８  吐出管、４０  電池、４２  中心軸、４４  ノズル管路、４６  噴出斜面、５０  便器、５２  ユーザ、５４  手、５６  肛門、６０  洗浄液、６２  使用済み洗浄液。
【図１】
0003184258.tif 000003
【図２】
0003184258.tif 000004
【図３】
0003184258.tif 000005
【図４】
0003184258.tif 000006
【図５】
0003184258.tif 000007
【図６】
0003184258.tif 000008